(57)【要約】【課題】リムーバブル記録装置上のコンテンツを著作権保護しつつ複数PC上で利用可能とする「コンテンツ利用システム及びコンテンツの著作権保護方法」を提供する。【解決手段】パーソナルコンピュータ３は、リムーバブルＨＤＤ４が接続されると（６０２）、リムーバブルＨＤＤ４からリムーバブルＨＤＤ番号を取得し（６０４）、リムーバブルＨＤＤ番号とユーザから受け付けたユーザIDとパスワード（６０６）を伴う認証要求をリムーバブル管理サーバに発行する（６０８）。リムーバブルＨＤＤ管理サーバ１７は、ユーザIDとパスワードとリムーバブルHDD番号の組み合わせを認証し（６１０）、認証が成功したならばリムーバブルＨＤＤ４においてパーソナルコンピュータ３を認証するための認証データをパーソナルコンピュータ３に送信する（６１２）。【選択図】図６
2005148971.tif 000002
【特許請求の範囲】
【請求項１】
コンテンツファイルを記録した複数のリムーバブル記録装置と、前記リムーバブル記録装置を接続可能な複数のユーザ装置と、前記ユーザ装置が通信を介してアクセス可能なセンタシステムとを有し、
前記センタシステムは、
前記各リムーバブル記録装置について、当該リムーバブル記録装置のユーザを認証するためのユーザ認証情報と、当該リムーバブル記録装置に記録されたコンテンツファイルを前記ユーザ装置において利用可能とするためのキー情報とを、当該リムーバブル記録装置の識別情報と対応づけて登録したユーザ管理情報を格納した認証情報格納手段と、
認証処理手段とを有し、
前記ユーザ装置は、
前記リムーバブル記録装置が接続されたときに、当該リムーバブル記録装置から、当該リムーバブル記録装置の識別情報を取得する識別情報取得手段と、
前記リムーバブル記録装置が接続されたときに、ユーザから、当該ユーザのユーザ認証情報の入力を受け付けるユーザ認証情報取得手段と、
前記識別情報取得手段が取得したリムーバブル記録装置の識別情報と前記ユーザ認証情報取得手段が入力を受け付けたユーザ認証情報とを伴う認証要求を前記通信を介して前記センタシステムに発行する認証要求手段と、
前記認証要求手段が発行した認証要求の応答として前記センタシステムより受領した前記キー情報を用いて、接続された前記リムーバブル記録装置上のコンテンツファイルを利用するコンテンツ利用手段とを有し、
前記センタシステムの認証処理手段は、前記ユーザ装置より前記認証要求を受信した場合に、前記ユーザ管理情報に、前記認証要求に伴うリムーバブル記録装置の識別情報に対応づけて、前記認証要求に伴うユーザ認証情報が登録されている場合に、当該リムーバブル記録装置の識別情報に対応づけて前記ユーザ管理情報に登録されている前記キー情報を前記ユーザ装置に送信することを特徴とするコンテンツ利用システム。
【請求項２】
請求項１記載のコンテンツ利用システムであって、
前記ユーザ管理情報には、前記各リムーバブル記録装置について、さらに、当該リムーバブル記録装置の利用を許可するユーザ装置を認証するための装置認証情報を、複数、当該リムーバブル記録装置の識別情報と対応づけて登録可能であり、
前記ユーザ装置の認証要求手段は、さらに自ユーザ装置の装置認証情報を伴わせた認証要求を前記通信を介して前記センタシステムに発行し、
前記センタシステムの前記認証処理手段は、
前記ユーザ装置より前記認証要求を受信した場合に、前記ユーザ管理情報に、前記認証要求に伴うリムーバブル記録装置の識別情報に対応づけて、前記認証要求に伴うユーザ認証情報と前記認証要求に伴う装置認証情報とが登録されている場合に、当該リムーバブル記録装置の識別情報に対応づけて前記ユーザ管理情報に登録されている前記キー情報を前記ユーザ装置に送信することを特徴とするコンテンツ利用システム。
【請求項３】
請求項２記載のコンテンツ利用システムであって、
前記ユーザ管理情報に、前記各リムーバブル記録装置について登録可能な前記装置認証情報の数は最大で、複数である所定数であり、
前記前記センタシステムの前記認証処理手段は、
前記ユーザ装置より前記認証要求を受信した場合に、前記ユーザ管理情報に、前記認証要求に伴うリムーバブル記録装置の識別情報に対応づけて、前記認証要求に伴うユーザ認証情報が登録されており、かつ、当該リムーバブル記録装置の識別情報に対応づけて登録されている装置認証情報が前記所定数以下である場合に、前記ユーザ管理情報に、前記認証要求に伴う装置認証情報を、当該リムーバブル記録装置の識別情報に対応づけて登録すると共に、当該リムーバブル記録装置の識別情報に対応づけて前記ユーザ管理情報に登録されている前記キー情報を前記ユーザ装置に送信することを特徴とするコンテンツ利用システム。
【請求項４】
請求項３記載のコンテンツ利用システムであって、
前記センタシステムの前記認証処理手段は、前記ユーザ装置より前記認証要求を受信した場合に、前記ユーザ管理情報に、前記認証要求に伴うリムーバブル記録装置の識別情報に対応づけて、前記認証要求に伴うユーザ認証情報が登録されており、当該リムーバブル記録装置の識別情報に対応づけて登録されている装置認証情報が前記所定数である場合に、前記認証要求発行元のユーザ装置からの要求に応じて、または、無条件に、前記ユーザ管理情報に、当該リムーバブル記録装置の識別情報に対応づけて登録されているいずれかの装置認証情報の登録を解除し、代わりに、前記認証要求に伴う装置認証情報を、前記ユーザ管理情報に当該リムーバブル記録装置の識別情報に対応づけて登録すると共に、当該リムーバブル記録装置の識別情報に対応づけて前記ユーザ管理情報に登録されている前記キー情報を前記ユーザ装置に送信することを特徴とするコンテンツ利用システム。
【請求項５】
請求項１、２、３または４記載のコンテンツ利用システムであって、
前記コンテンツファイルは、オーディオデータを格納したオーディオファイルであることを特徴とするコンテンツ利用システム。
【請求項６】
請求項１、２、３、４または５記載のコンテンツ利用システムであって、
前記リムーバブル記録装置と接続可能であって、接続したリムーバブル記録装置に記録されたコンテンツファイルを前記キー情報を必要とすることなく利用可能な車載装置を含むことを特徴とするコンテンツ利用システム。
【請求項７】
リムーバブル記録装置に記録されたコンテンツファイルの、前記リムーバブル記録装置を接続可能なコンピュータにおける不正な利用を、前記コンピュータが通信を介してアクセス可能なサーバを用いて抑止するコンテンツ著作権保護方法であって、
前記コンピュータにおいて、前記リムーバブル記録装置が接続されたときに、当該リムーバブル記録装置から、当該リムーバブル記録装置の識別情報を取得すると共に、ユーザから、当該ユーザのユーザ認証情報の入力を受け付けるステップと、
前記コンピュータにおいて、取得したリムーバブル記録装置の識別情報と、入力を受け付けたユーザ認証情報とを伴う認証要求を前記通信を介して前記サーバに発行するステップと、
前記認証要求を受信した前記サーバにおいて、ユーザ管理情報に、前記認証要求に伴うリムーバブル記録装置の識別情報に対応づけて、前記認証要求に伴うユーザ認証情報が登録されている場合に、当該リムーバブル記録装置の識別情報に対応づけて前記ユーザ管理情報に登録されている前記キー情報を前記コンピュータに送信するステップと、
前記コンピュータにおいて、発行した認証要求の応答として前記センタシステムより受領した前記キー情報を用いて、接続された前記リムーバブル記録装置上のコンテンツファイルを利用するステップとを有し、
前記ユーザ管理情報には、予め前記リムーバブル記録装置のユーザを認証するためのユーザ認証情報と、当該リムーバブル記録装置に記録されたコンテンツファイルを前記ユーザ装置において利用可能とするためのキー情報とが、当該リムーバブル記録装置の識別情報と対応づけて登録されていることを特徴とするコンテンツ著作権保護方法。
【発明の詳細な説明】
【技術分野】
【０００１】
本発明は、リムーバブルな記憶装置に記録された楽曲その他のコンテンツの著作権保護の技術に関するものである。
【背景技術】
【０００２】
従来より、オーディオファイルの記録にリムーバブルＨＤＤを用いる車載オーディオ装置が知られている。また、このような車載オーディオ装置では、自身に接続されたリムーバブルＨＤＤに対して、オーディオファイルの記録を行ったり、リムーバブルＨＤＤに記録されているオーディオファイルを読み出して再生を行う。また、このリムーバブルＨＤＤは、車載オーディオ装置から取り外して、パーソナルコンピュータに接続することにより、パーソナルコンピュータが、パーソナルコンピュータからオーディオファイルをリムーバブルＨＤＤにコピーしたり、リムーバブルＨＤＤからパーソナルコンピュータにオーディオファイルをコピーできるようになっている。
【０００３】
そして、このようなシステムにおけるリムーバブルＨＤＤに格納されたオーディオファイルの著作権保護は、リムーバブルＨＤＤにおいて、接続したパーソナルコンピュータの認証を行い、予め定めた特定の単一のパーソナルコンピュータのみにオーディオファイルへのアクセスを許可することにより行われている。また、リムーバブルＨＤＤを利用可能とするパーソナルコンピュータを変更する場合には、変更前のパーソナルコンピュータからコピーしたオーディオファイルの全てをリムーバブルＨＤＤから消去することも行われている。
【０００４】
なお、このようなファイルの保護に関連する技術としては、ファイル作成時に、ファイルにアクセスを許可するユーザ等の範囲の定義をファイル内に含め、各ファイル内の定義に従って、当該ファイルの操作を可能とするユーザ等の範囲を制御する技術が知られている（たとえば、特許文献１）。
【特許文献１】特開２００３-１２２６１５号公報
【発明の開示】
【発明が解決しようとする課題】
【０００５】
前記リムーバブルＨＤＤにおいて、接続したパーソナルコンピュータの認証を行い、予め定めた特定の単一のパーソナルコンピュータのみにオーディオファイルへのアクセスを許可する技術によれば、リムーバブルＨＤＤに記録されたオーディオファイルが、当該オーディオファイルの利用が許可されたリムーバブルＨＤＤ所有ユーザ以外の不特定のユーザのパーソナルコンピュータにコピーされ、不正に利用されてしまうことを抑制することができる。
【０００６】
しかしながら、正当なリムーバブルＨＤＤ所有ユーザが、複数のパーソナルコンピュータを所有している場合には、正当なリムーバブルＨＤＤ所有ユーザであっても、自己のパーソナルコンピュータのうちの一つのパーソナルコンピュータでしか、リムーバブルＨＤＤを利用することができなくなってしまうという問題が生じる。また正当なリムーバブルＨＤＤ所有ユーザが、パーソナルコンピュータを買い換えた場合などには、自己の新たなパーソナルコンピュータで、リムーバブルＨＤＤや、リムーバブルＨＤＤに買い換え前のパーソナルコンピュータからコピーしたオーディオファイルを利用することができなくなってしまうという問題が生じる。
【０００７】
そこで、本発明は、リムーバブルＨＤＤに記録されたコンテンツの有効な著作権保護を図りつつ、正当なリムーバブルＨＤＤ所有ユーザが、自己の複数のパーソナルコンピュータで、リムーバブルＨＤＤを同様に利用できるようにすることを課題とする。
【課題を解決するための手段】
【０００８】
前記課題達成のために、本発明は、コンテンツファイルを記録したリムーバブル記録装置と、前記リムーバブル記録装置を接続可能なユーザ装置と、前記ユーザ装置が通信を介してアクセス可能なセンタシステムとを有するコンテンツ利用システムを提供する。ここで、前記センタシステムには、前記各リムーバブル記録装置について、当該リムーバブル記録装置のユーザを認証するためのユーザ認証情報と、当該リムーバブル記録装置に記録されたコンテンツファイルを前記ユーザ装置において利用可能とするためのキー情報とを、当該リムーバブル記録装置の識別情報と対応づけて登録したユーザ管理情報を格納した認証情報格納手段と、認証処理手段とを備える。一方、ユーザ装置には、前記リムーバブル記録装置が接続されたときに、当該リムーバブル記録装置から、当該リムーバブル記録装置の識別情報を取得する識別情報取得手段と、前記リムーバブル記録装置が接続されたときに、ユーザから、当該ユーザのユーザ認証情報の入力を受け付けるユーザ認証情報取得手段と、前記識別情報取得手段が取得したリムーバブル記録装置の識別情報と前記ユーザ認証情報取得手段が入力を受け付けたユーザ認証情報とを伴う認証要求を前記通信を介して前記センタシステムに発行する認証要求手段と、前記認証要求手段が発行した認証要求の応答として前記センタシステムより受領した前記キー情報を用いて、接続された前記リムーバブル記録装置上のコンテンツファイルを利用するコンテンツ利用手段と設ける。そして、前記センタシステムの認証処理手段は、前記ユーザ装置より前記認証要求を受信した場合に、前記ユーザ管理情報に、前記認証要求に伴うリムーバブル記録装置の識別情報に対応づけて、前記認証要求に伴うユーザ認証情報が登録されている場合に、当該リムーバブル記録装置の識別情報に対応づけて前記ユーザ管理情報に登録されている前記キー情報を前記ユーザ装置に送信するようにする。
【０００９】
このようなコンテンツ利用システムによれば、リムーバブル記録装置をユーザ装置に接続して利用する際には、リムーバブル記録装置のユーザの認証情報が必要となる。したがって、リムーバブル記録装置に記録されたコンテンツファイルのユーザ装置上での利用を、リムーバブル記録装置の正当なユーザにのみ制限することができる。一方で、リムーバブル記録装置の正当なユーザであれば、任意のユーザ装置上で、リムーバブル記録装置に記録されたコンテンツファイルを利用することができる。
【００１０】
ここで、このようなコンテンツ利用システムでは、前記ユーザ管理情報を、前記各リムーバブル記録装置について、さらに、当該リムーバブル記録装置の利用を許可するユーザ装置を認証するための装置認証情報を、複数、当該リムーバブル記録装置の識別情報と対応づけて登録可能なものとし、前記ユーザ装置の認証要求手段において、さらに自ユーザ装置の装置認証情報を伴わせた認証要求を前記通信を介して前記センタシステムに発行し、前記センタシステムの前記認証処理手段において、前記ユーザ装置より前記認証要求を受信した場合に、前記ユーザ管理情報に、前記認証要求に伴うリムーバブル記録装置の識別情報に対応づけて、前記認証要求に伴うユーザ認証情報と前記認証要求に伴う装置認証情報とが登録されている場合に、当該リムーバブル記録装置の識別情報に対応づけて前記ユーザ管理情報に登録されている前記キー情報を前記ユーザ装置に送信するようにしてもよい。
このようにすることにより、リムーバブル記録装置に記録されたコンテンツファイルのユーザ装置上での利用を、リムーバブル記録装置と、その正当なユーザに対して予め登録されたユーザ装置のみに制限することができる。一方で、リムーバブル記録装置の正当なユーザであれば、複数のユーザ装置を登録しておくことにより、登録した複数のユーザ装置の内の任意のユーザ装置上で、リムーバブル記録装置に記録されたコンテンツファイルを利用することができるようになる。
【００１１】
また、この場合には、さらに、前記ユーザ管理情報に、前記各リムーバブル記録装置について登録可能な前記装置認証情報の数を、最大で、複数である所定数として、前記前記センタシステムの前記認証処理手段において、前記ユーザ装置より前記認証要求を受信した場合に、前記ユーザ管理情報に、前記認証要求に伴うリムーバブル記録装置の識別情報に対応づけて、前記認証要求に伴うユーザ認証情報が登録されており、かつ、当該リムーバブル記録装置の識別情報に対応づけて登録されている装置認証情報が所定数以下である場合に、前記ユーザ管理情報に、前記認証要求に伴う装置認証情報を、当該リムーバブル記録装置の識別情報に対応づけて登録すると共に、当該リムーバブル記録装置の識別情報に対応づけて前記ユーザ管理情報に登録されている前記キー情報を前記ユーザ装置に送信するようにしてもよい。
このようにすることにより、リムーバブル記録装置に記録されたコンテンツファイルを利用できるユーザ装置の台数を所定台数以下に制限することができる。このような制限を設けることにより、リムーバブル記録装置の正当なユーザが、他のユーザにリムーバブル記録装置を貸渡すと共に自己のユーザ認証情報を教示して、当該他のユーザに当該他のユーザのユーザ装置上でリムーバブル記録装置に記録されたコンテンツファイルを利用させるような不正行為の発生を抑制することができるようになる。
【００１２】
また、さらに、この場合には、前記センタシステムの前記認証処理手段において、前記ユーザ装置より前記認証要求を受信した場合に、前記ユーザ管理情報に、前記認証要求に伴うリムーバブル記録装置の識別情報に対応づけて、前記認証要求に伴うユーザ認証情報が登録されており、当該リムーバブル記録装置の識別情報に対応づけて登録されている装置認証情報が前記所定数である場合に、前記認証要求発行元のユーザ装置からの要求に応じて、または、無条件に、前記ユーザ管理情報に、当該リムーバブル記録装置の識別情報に対応づけて登録されているいずれかの装置認証情報の登録を解除し、代わりに、前記認証要求に伴う装置認証情報を、前記ユーザ管理情報に当該リムーバブル記録装置の識別情報に対応づけて登録すると共に、当該リムーバブル記録装置の識別情報に対応づけて前記ユーザ管理情報に登録されている前記キー情報を前記ユーザ装置に送信するようにしてもよい。
このようにすることにより、リムーバブル記録装置の正当なユーザが、ユーザ装置を買い換えたような場合に、今まで使用していたユーザ装置に代えて、新たに購入したユーザ装置上で、リムーバブル記録装置に記録されたコンテンツファイルを利用できるようになる。
【００１３】
ここで、以上のコンテンツ利用システムにおいて、前記コンテンツファイルは、オーディオデータを格納したオーディオファイルであってよい。また、以上のコンテンツ利用システムは、前記リムーバブル記録装置と接続可能であって、接続したリムーバブル記録装置に記録されたコンテンツファイルを前記キー情報を必要とすることなく利用可能な車載装置を含むものとしても良い。
【発明の効果】
【００１４】
以上のように、本発明によれば、リムーバブルＨＤＤに記録されたコンテンツの有効な著作権保護を図りつつ、正当なリムーバブルＨＤＤ所有ユーザが、自己の複数のパーソナルコンピュータで、リムーバブルＨＤＤを同様に利用できるようにすることができる。
【発明を実施するための最良の形態】
【００１５】
以下、本発明の実施形態について、オーディオファイルの著作権保護への適用を例にとり説明する。
図１に、本実施形態に係るオーディオファイル利用システムの構成を示す。
図示するように、オーディオファイル利用システムは、管理センタシステム１と、管理センタシステム１とインターネットなどのＷＡＮ２を介して接続する個々のユーザによって所有されるパーソナルコンピュータ３と、個々のユーザによって所有されるリムーバブルＨＤＤ４と、個々のユーザの自動車に搭載される車載オーディオシステム５とを含む。ここで、リムーバブルＨＤＤ４は、車載オーディオシステム５とパーソナルコンピュータ３の双方に脱着可能に接続することができる。
【００１６】
次に、管理センタシステム１とパーソナルコンピュータ３とリムーバブルＨＤＤ４と車載オーディオシステム５の内部構成を図２に示す。
図示するように、管理センタシステム１は、オーディオファイルを格納したオーディオファイル格納部１１、オーディオファイル格納部１１に格納されたオーディオファイルをＷＡＮ２を介してパーソナルコンピュータ３に提供するオーディオファイル提供サーバ１２、ユーザに対する課金処理を行う課金システム１３、管理センタシステム１のユーザの管理情報であるユーザ管理情報を記録したユーザ管理データベース１４、ユーザ管理データベース１４へのユーザ管理情報の登録や更新を行うユーザ情報登録処理部１５、ユーザ管理データベース１４に登録されたユーザ管理情報を用いた認証処理を行う認証処理部１６、リムーバブルＨＤＤ管理サーバ１７を有する。
【００１７】
次に、パーソナルコンピュータ３は、機能的には、ＣＤ-ＤＡを少なくとも含む、ＣＤ-ＲＯＭやＣＤ-ＲＡＭなどの各種ＣＤメディアのドライブ装置であるＣＤドライブ３１、ＨＤＤ３２、ダウンロードクライアント３３、リムーバブルＨＤＤ活性化処理部３４、オーディオプレイヤ３５、ＣＤリッピング処理部３６、リムーバブルＨＤＤ４に適合した入出力インタフェース３７、オペレーティングシステム３８などを備えている。このような構成において、オペレーティングシステム３８は、ダウンロードクライアント３３、リムーバブルＨＤＤ活性化処理部３４、オーディオプレイヤ３５、ＣＤリッピング処理部３６に対して、ＨＤＤ３２やリムーバブルＨＤＤ４に対するファイルアクセスや、ＷＡＮ２を介した管理センタシステム１との通信や、ＣＤドライブ３１を介したＣＤ-ＤＡの記録データへのアクセスの機能を提供する。ただし、パーソナルコンピュータ３は、ハードウエア的には、ＣＰＵやメモリや入力装置や表示装置などの通常のコンピュータとしての構成を備えるものである。
【００１８】
次に、リムーバブルＨＤＤ４は、ＨＤ４１、ＨＤ４１への情報の記録と再生の処理を行うＨＤアクセス部４２、ＨＤアクセス部４２による記録再生処理の制御などを行うＨＤＤコントローラ４３と、認証制御部４４とを備えている。
そして、車載オーディオシステム５は、ＣＤ-ＤＡドライブ５１、オーディオ放送受信機やＤＶＤ再生装置などのオーディオソース５２、オーディオ再生処理部５３、ＣＤリッピング処理部５４、リムーバブルＨＤＤ４に適合した入出力インタフェース５５、オペレーティングシステム５６などを有している。ここで、オペレーティングシステム５６は、ＣＤリッピング処理部５４やオーディオ再生処理部５３に、リムーバブルＨＤＤ４に対するファイルアクセスや、ＣＤ-ＤＡドライブ５１を介したＣＤ-ＤＡの記録データへのアクセスやオーディオソース５２の出力信号へのアクセスの機能を提供する。
【００１９】
次に、管理センタシステム１のユーザ管理データベース１４に格納するユーザ管理情報について説明する。
図３に示すように、ユーザ管理データベース１４には、管理センタシステム１のユーザ毎に設けられたユーザレコードが格納される。
また、ユーザレコードには、そのユーザのユーザＩＤとパスワードが格納される。また、ユーザレコードには、そのユーザが、リムーバブルＨＤＤ４の所有者である場合には、そのユーザが所有する各リムーバブルＨＤＤ毎に、リムーバブルＨＤＤ４の登録リムーバブルＨＤＤ番号と認証データとが登録される。登録リムーバブルＨＤＤ番号は、そのリムーバブルＨＤＤ４の識別子となるＭＡＣアドレスなどの識別番号であり、認証データは、そのリムーバブルＨＤＤ４がパーソナルコンピュータ３の認証に用いる認証データであり、あらかじめ出荷時などにリムーバブルＨＤＤ４側にもユーザに秘匿される形態でセットされているものである。
【００２０】
また、このユーザレコードにおいては、登録された各リムーバブルＨＤＤ４に対して、３台までのパーソナルコンピュータ３の識別情報をＰＣ識別情報として登録することができる。ＰＣ識別情報が登録されるパーソナルコンピュータ３は、そのリムーバブルＨＤＤ４の利用が許可されるパーソナルコンピュータ３であり、ＰＣ識別情報としては、パーソナルコンピュータ３にユーザが与えている名称やパーソナルコンピュータ３のハードウエア構成情報やソフトウエア構成情報やユーザ情報など、同じＰＣ識別情報を持つパーソナルコンピュータ３が同一のパーソナルコンピュータ３であることをある程度の蓋然性をもって推認できる情報を登録する。また、ユーザレコードにおいては、登録された各リムーバブルＨＤＤ４に対して、ＰＣ識別情報の登録解除の履歴を示す履歴情報を格納する。
【００２１】
さて、図２に戻り、このようなオーディオファイル利用システムにおいて、予め管理センタシステム１に登録されたユーザすなわち対応するユーザ管理テーブルがユーザ管理データベース１４に登録されたユーザは、パーソナルコンピュータ３に管理センタシステム１からオーディオファイルをダウンロードしＨＤＤ３２に記録することができる。すなわち、この場合、ユーザは、まず、ダウンロードクライアント３３を介してオーディオファイル提供サーバ１２にアクセスする。アクセスを受けたオーディオファイル提供サーバ１２は、ユーザＩＤとパスワードの入力メニューを、ダウンロードクライアント３３に返送し、ダウンロードクラインアントは、この入力メニューを表示して、ユーザからユーザＩＤとパスワードの入力を受け付ける。そして、入力されたユーザＩＤとパスワードを伴うセッション開始要求をオーディオファイル提供サーバ１２に送信する。セッション開始要求を受けたオーディオファイル提供サーバ１２は、認証処理部１６に、セッション開始要求と共に受け取ったユーザＩＤとパスワードの認証を要求し、認証処理部１６は、セッション開始要求と共に受け取ったユーザＩＤとパスワードの組が登録されたユーザ管理レコードがユーザ管理データベース１４に登録されている場合には認証成功をオーディオファイル提供サーバ１２に応答し、登録されていない場合には認証失敗をオーディオファイル提供サーバ１２に応答する。
【００２２】
オーディオファイル提供サーバ１２は、認証失敗を受け取った場合には、ユーザＩＤまたはパスワードが不正である旨をダウンロードクラインアントに応答し、ダウンロードクライアント３３は、その旨をユーザに表示する。
一方、オーディオファイル提供サーバ１２は、認証成功を受け取った場合には、ダウンロードクライアント３３との間に保護されたセッションを設定する。そして、オーディオファイル格納部１１に格納されているオーディオファイルのダウンロードメニューをダウンロードクライアント３３に返送する。ダウンロードクラインアントは、このダウンロードメニューを表示し、ユーザからダウンロードするオーディオファイルの指定を受け付け、オーディオファイル提供サーバ１２に指定を受け付けたオーディオファイルのダウンロードを要求する。ダウンロードの要求を受けたオーディオファイル提供サーバ１２は、オーディオファイル格納部１１から指定されたオーディオファイルを読み出し、ダウンロードクライアント３３に送信し、ダウンロードクライアント３３は送信されたオーディオファイルをＨＤＤ３２に格納する。また、オーディオファイル提供サーバ１２は、オーディオファイルの送信を完了すると、当該セッションが設定されているユーザＩＤと送信したオーディオファイルの識別子を課金システム１３に通知し、通知を受けた課金システム１３は、通知されたユーザＩＤのユーザに対して、識別子を通知されたオーディオファイルの提供料金を課金する。
【００２３】
また、このようなオーディオファイル利用システムにおいて、パーソナルコンピュータ３のＣＤリッピング処理部３６は、ユーザの要求に応じて、ＣＤドライブ３１を介してＣＤ-ＤＡから読み出した各トラックのデータをオーディオファイルとしてＨＤＤ３２や接続されたリムーバブルＨＤＤ４に記録する処理を行う。また、オペーレーティングシステムは、ユーザ操作に応じて、ＨＤＤ３２とリムーバブルＨＤＤ４間のオーディオファイルのコピーなどを行う。また、オーディオプレイヤ３５は、ユーザ操作に応じて、ＣＤ-ＤＡやＨＤＤ３２やリムーバブルＨＤＤ４に記録されたオーディオファイルを再生出力する処理を行う。
【００２４】
ただし、パーソナルコンピュータ３のリムーバブルＨＤＤ４へのファイルアクセスは、パーソナルコンピュータ３が、パーソナルコンピュータ３に接続されたリムーバブルＨＤＤ４によって認証された場合にのみ、リムーバブルＨＤＤ４によって許可される。したがって、以上の各動作のうち、リムーバブルＨＤＤ４へのファイルアクセスが必要な動作は、パーソナルコンピュータ３が、パーソナルコンピュータ３に接続されたリムーバブルＨＤＤ４によって認証された場合にのみ実行可能となる。
【００２５】
一方、車載システムにおいて、オーディオ再生処理部５３は、ユーザ操作に応じて、ＣＤ-ＤＡやリムーバブルＨＤＤ４に記録されたオーディオファイルを再生出力したり、オーディオソース５２のオーディオ出力を再生出力する処理を行う。また、ＣＤリッピング処理部５４は、ユーザの要求に応じて、ＣＤ-ＤＡドライブ５１を介してＣＤ-ＤＡから読み出した各トラックのデータをオーディオファイルとして接続されたリムーバブルＨＤＤ４に記録する処理を行う。
【００２６】
ここで、車載オーディオシステム５の接続されたリムーバブルＨＤＤ４へのアクセスは、リムーバブルＨＤＤ４によって常に許可される。このために、本実施形態では、リムーバブルＨＤＤ４が、接続されているのが車載オーディオシステム５であることを認証するための各車載オーディオシステム共通の認証データをユーザに秘匿した形態で、予め車載オーディオシステム５とリムーバブルＨＤＤ４に格納しておく。そして、リムーバブルＨＤＤ４が車載オーディオシステム５に接続されたときに、車載オーディオシステム５が、この認証データを伴う認証処理要求をリムーバブルＨＤＤ４に発行する。また、認証処理要求を受け取ったリムーバブルＨＤＤ４では、認証制御部４４が、ＨＤＤコントローラ４３を介して認証データを受け取って認証し、リムーバブルＨＤＤ４が車載オーディオシステム５に接続されていることを検証できた場合にのみ、ＨＤＤコントローラ４３におけるＨＤ記録オーディオファイルデータへのアクセス要求の受付けを許可すると共に認証成功を認証処理要求発行元に応答し、他の場合には、ＨＤＤコントローラ４３のＨＤ記録オーディオファイルデータへのアクセス要求の受付けを禁止すると共に認証失敗を認証処理要求発行元に応答する。そして、ＨＤＤコントローラ４３において、アクセス要求の受付けを許可された場合には、接続切断または電源断の発生まで、リムーバブルＨＤＤ４が接続された装置からのアクセス要求を受け付けて処理し、アクセス要求の受付けを禁止された場合には、接続切断または電源断の発生まで、アクセス要求の受付を拒絶する。
【００２７】
以下、このようなオーディオファイル利用システムにおける、リムーバブルＨＤＤ４のパーソナルコンピュータ３の認証動作について説明する。
この認証動作は、パーソナルコンピュータ３のリムーバブルＨＤＤ活性化処理部３４が行うリムーバブルＨＤＤ活性化処理と、管理センタシステム１のリムーバブルＨＤＤ管理サーバ１７が行うＰＣ認証処理と、リムーバブルＨＤＤ４が行う認証処理によって実現される。
まず、パーソナルコンピュータ３のリムーバブルＨＤＤ活性化処理部３４が行うリムーバブルＨＤＤ活性化処理について説明する。
図４に、このリムーバブルＨＤＤ活性化処理の処理手順を示す。
図示するように、この処理では、リムーバブルＨＤＤ４の自パーソナルコンピュータへの接続をオペレーションシステムを介して検知すると（ステップ４０２）、まず、リムーバブルＨＤＤ４のリムーバブルＨＤＤ番号を取得する（ステップ４０４）。ここで、このリムーバブルＨＤＤ番号は、管理センタシステム１のユーザ管理レコードに、このリムーバブルＨＤＤ４の登録リムーバブルＨＤＤ番号として登録されている値である。
【００２８】
そして、適当な入力メニューを表示して、ユーザからユーザＩＤとパスワードの入力を受け付ける（ステップ４０６）。次に、自パーソナルコンピュータを調査し自パーソナルコンピュータのＰＣ識別情報を取得する（ステップ４０８）。
その上で、入力されたユーザＩＤとパスワードと取得したリムーバブルＨＤＤ番号とＰＣ識別情報を伴う認証要求をＷＡＮ２を介してリムーバブルＨＤＤ管理サーバ１７に発行する（ステップ４１０）。
そして、この認証要求に対して、リムーバブルＨＤＤ管理サーバ１７より認証エラーが応答された場合には（ステップ４１２）、エラーを表示して（ステップ４２２）、ユーザIDとパスワードを破棄し（ステップ４３６）処理を終了する。
一方、この認証要求に対して、リムーバブルＨＤＤ管理サーバ１７より認証データを受信した場合には（ステップ４１６）、受信した認証データを伴う認証処理要求をリムーバブルＨＤＤ４に発行し（ステップ４１８）、認証処理要求に対して認証成功がリムーバブルＨＤＤ４から受諾できた場合には（ステップ４２０）処理を終了し、認証処理要求に対して認証失敗がリムーバブルＨＤＤ４から応答された場合には（ステップ４２０）、エラーを表示して（ステップ４２２）、ユーザIDとパスワードと認証データを破棄し（ステップ４３６）処理を終了する。
【００２９】
ここで、認証処理要求を受け取ったリムーバブルＨＤＤ４では、認証制御部４４が認証処理を行う。すなわち、認証制御部４４は、ＨＤＤコントローラ４３を介して認証データを受け取って、予めリムーバブルＨＤＤ４に記録されているパーソナルコンピュータ認証用の認証用データとの整合性に基づく認証を行い、認証が成功した場合にのみ、ＨＤＤコントローラ４３におけるＨＤ記録オーディオファイルデータへのアクセス要求の受付けを許可し、他の場合には、ＨＤＤコントローラ４３のＨＤ記録オーディオファイルデータへのアクセス要求の受付けを禁止する。なお、前述のように、ＨＤＤコントローラ４３は、アクセス要求の受付けを許可された場合には、接続切断または電源断の発生まで、リムーバブルＨＤＤ４が接続された装置からのアクセス要求を受け付けて処理し、アクセス要求の受付けを禁止された場合には、接続切断または電源断の発生まで、アクセス要求の受付を拒絶する。
【００３０】
次に、リムーバブルＨＤＤ活性化処理において、認証要求に対して、リムーバブルＨＤＤ管理サーバ１７より登録解除ＰＣ指定要求を受信した場合には（ステップ４１４）、登録解除ＰＣ指定要求に伴って送信されたパーソナルコンピュータ３の名称のリストを表示し、登録を解除するパーソナルコンピュータ３の名称の指定か、キャンセルの指定を受け付ける（ステップ４２４）。そして、キャンセルの指定を受け付けた場合には（ステップ４２６）、キャンセルをリムーバブルＨＤＤ管理サーバ１７に送信し（ステップ４３４）処理を終了する。一方、いずれかのパーソナルコンピュータ３の名称が指定された場合には（ステップ４２８）、そのパーソナルコンピュータ３の名称または当該名称のリスト上での識別を伴う登録ＰＣ更新要求を、リムーバブルＨＤＤ管理サーバ１７に発行し（ステップ４３０）、その応答として認証データを受信し（ステップ４３２）、ステップ４１８以降に進んでリムーバブルＨＤＤ４に対する認証処理要求の発行と、認証成功または失敗の確認を行って、ユーザIDとパスワードと認証データを破棄し処理を終了する。
【００３１】
以上、リムーバブルＨＤＤ活性化処理について説明した。
次に、管理センタシステム１のリムーバブルＨＤＤ管理サーバ１７が行うＰＣ認証処理について説明する。
ここで、このＰＣ認証処理は、パーソナルコンピュータ３から認証要求を受け取ったときに実行される。図５にＰＣ認証処理の手順を示す。
図示するように、この処理では、まず、認証処理部１６に、認証要求と共に受信したユーザＩＤとパスワードとリムーバブルＨＤＤ番号の組の認証を行わせる。認証処理部１６は、受信したユーザＩＤとパスワードの組が登録されたユーザ管理レコードであって、受信したリムーバブルＨＤＤ番号が登録リムーバブルＨＤＤ番号として登録されているユーザ管理レコードをユーザ管理情報データベースから検索して取得し（ステップ５００）、取得できた場合には（ステップ５０２）、取得成功をリムーバブルＨＤＤ管理サーバ１７に応答する。一方、そのようなユーザ管理レコードがユーザ管理情報データベースに存在しない場合には（ステップ５０２）、認証エラーをリムーバブルＨＤＤ管理サーバ１７に通知し、通知を受けたリムーバブルＨＤＤ管理サーバ１７は、認証エラーをパーソナルコンピュータ３に応答し（ステップ５１０）、処理を終了する。
【００３２】
一方、ステップ５００でユーザ管理レコードを取得できた場合には（ステップ５０２）、取得したユーザ管理レコードの受信したリムーバブルＨＤＤ番号に対応する登録リムーバブルＨＤＤ番号に対する履歴情報に、過去に、認証要求と共に受信したＰＣ識別情報の登録の解除が行われた旨が登録されているかどうかを調べ、登録されている場合には（ステップ５０４）、認証エラーをパーソナルコンピュータ３に応答し（ステップ５１０）、処理を終了する。
【００３３】
一方、履歴情報にそのような旨が登録されていない場合には、次に、認証処理部１６に、認証要求と共に受信したＰＣ識別情報の認証を行わせる。認証処理部１６は、先に取得したユーザ管理レコードの、受信したリムーバブルＨＤＤ番号に対応する登録リムーバブルＨＤＤ番号に対して、受信したＰＣ識別情報が登録されているかどうかを調べ（ステップ５０６）、登録されていれば、その登録リムーバブルＨＤＤ番号に対して登録されている認証データをリムーバブルＨＤＤ管理サーバ１７に応答し、応答を受けたリムーバブルＨＤＤ管理サーバ１７は、認証データをパーソナルコンピュータ３に応答し（ステップ５０８）、処理を終了する。
【００３４】
一方、認証処理部１６は、先に取得したユーザ管理レコードの、受信したリムーバブルＨＤＤ番号に対応する登録リムーバブルＨＤＤ番号に対して、受信したＰＣ識別情報が登録されていない場合には（ステップ５０６）、受信したリムーバブルＨＤＤ番号に対応する登録リムーバブルＨＤＤ番号に対して登録されているＰＣ識別情報の数が２以下であるかどうかを調べ（ステップ５１２）、２以下であれば、先に取得したユーザ管理レコードの、受信したリムーバブルＨＤＤ番号に対応する登録リムーバブルＨＤＤ番号に対して受信したＰＣ識別情報を追加登録する（ステップ５２２）。そして、その登録リムーバブルＨＤＤ番号に対して登録されている認証データをリムーバブルＨＤＤ管理サーバ１７に応答し、応答を受けたリムーバブルＨＤＤ管理サーバ１７は、認証データをパーソナルコンピュータ３に応答し（ステップ５０８）、処理を終了する。
【００３５】
一方、受信したリムーバブルＨＤＤ番号に対応する登録リムーバブルＨＤＤ番号に対して登録されているＰＣ識別情報の数が２より大きい場合（ステップ５１２）、すなわち３である場合には、受信したリムーバブルＨＤＤ番号に対応する登録リムーバブルＨＤＤ番号に対して登録されている３つのＰＣ識別情報中のパーソナルコンピュータ３の名称のリストを含む登録解除ＰＣ指定要求を、リムーバブルＨＤＤ管理サーバ１７に応答し、リムーバブル管理サーバは、この登録解除ＰＣ指定要求を、パーソナルコンピュータ３に発行する（ステップ５１４）。
【００３６】
そして、この登録解除ＰＣ指定要求の応答としてキャンセルを受信した場合には（ステップ５１６）、そのまま処理を終了する。一方、登録解除ＰＣ指定要求の応答として、受信したリムーバブルＨＤＤ番号に対応する登録リムーバブルＨＤＤ番号に対して登録されている３つのＰＣ識別情報のいずれかに対応するパーソナルコンピュータ３の名称または当該名称のリスト上での識別を含む登録更新要求を受け取ったならば（ステップ５１８）、ステップで取得させたユーザ管理レコードの、受信したリムーバブルＨＤＤ番号に対応する登録リムーバブルＨＤＤ番号に対して登録されている、受け取ったパーソナルコンピュータ３の名称または当該名称のリスト上での識別に対応するＰＣ識別情報を、ユーザ情報登録処理部１５に削除させる（ステップ５２０）と共に当該ＰＣ識別情報の登録解除を履歴情報に登録する。そして、先に認証要求と共に受信しているＰＣ識別情報を、ステップで取得させたユーザ管理レコードの、受信したリムーバブルＨＤＤ番号に対応する登録リムーバブルＨＤＤ番号に対して登録させる（ステップ５２２）。
【００３７】
そして、認証処理部１６に、ステップ５００で取得させたユーザ管理レコードの、受信したリムーバブルＨＤＤ番号に対して登録されている認証データを要求し、認証処理部１６から転送された認証データをパーソナルコンピュータ３に応答し（ステップ５０８）、処理を終了する。
【００３８】
以上、ＰＣ認証処理について説明した。
ここで、このような処理によって実現されるリムーバブルＨＤＤ４のパーソナルコンピュータ３の認証動作例を図６に示す。
図示するように、パーソナルコンピュータ３は、リムーバブルＨＤＤ４が接続されると（６０２）、リムーバブルＨＤＤ４からリムーバブルＨＤＤ番号を取得する（６０４）。そして、次に、ユーザからユーザIDとパスワードの入力を受付（６０６）、入力されたユーザIDとパスワードと取得したリムーバブルHDD番号と自身のＰＣ識別情報とを含む認証要求をリムーバブル管理サーバに発行する（６０８）。
【００３９】
認証要求を受けたリムーバブルＨＤＤ管理サーバ１７は、ＰＣ認証処理（６１０）を行う。この認証処理では、まず、受信したユーザIDとパスワードとリムーバブルHDD番号の組み合わせがユーザ管理情報に登録されているかどうかを調べ、登録されていない場合には、パーソナルコンピュータ３のユーザがパーソナルコンピュータ３に接続されたリムーバブルＨＤＤ４の正規のユーザではないものと判定して認証を拒否する。この結果、リムーバブルHDDによるパーソナルコンピュータ３の認証は行われず、このパーソナルコンピュータ３においてリムーバブルＨＤＤ４を利用することはできない。
【００４０】
一方、受信したユーザIDとパスワードとリムーバブルHDD番号の組み合わせがユーザ管理情報に登録されていれば、受信したPC識別情報が、リムーバブルHDD番号は示すリムーバブルＨＤＤ４に対して過去に登録解除されたパーソナルコンピュータ３であるかどうかを調べ、過去に登録解除されたパーソナルコンピュータ３であれば、その認証を拒否する。この結果、リムーバブルHDDによるパーソナルコンピュータ３の認証は行われず、このパーソナルコンピュータ３においてリムーバブルＨＤＤ４を利用することはできない。
【００４１】
また、受信したPC識別情報が、リムーバブルHDD番号は示すリムーバブルＨＤＤ４に対して過去に登録解除されたパーソナルコンピュータ３でない場合には、次に、受信したPC識別情報が、リムーバブルＨＤＤ４を接続したパーソナルコンピュータ３が、受信したユーザIDのユーザに対して登録されているパーソナルコンピュータ３を示しているかどうかを調べ、そうであれば、リムーバブルＨＤＤ４においてパーソナルコンピュータ３を認証するための認証データをパーソナルコンピュータ３に送信する（６１２）。
【００４２】
認証データを受け取ったパーソナルコンピュータ３は、受け取った認証データを用いてリムーバブルＨＤＤ４の認証を受けた上で（６１４）、ユーザから入力されたユーザIDやパスワードやリムーバブルＨＤＤ管理サーバ１７から受信した認証データを破棄する（６１６）。
【００４３】
そして、このようにしてリムーバブルＨＤＤ４の認証を受けた後は、適宜、リムーバブルＨＤＤ４のオーディオファイルに関する前述した各種処理を行うことができるようになる（６１８）。
一方、リムーバブルＨＤＤ管理サーバ１７におけるＰＣ認証処理（６１０）において、受信したPC識別情報が、リムーバブルＨＤＤ４を接続したパーソナルコンピュータ３が、受信したユーザIDのユーザに対して登録されているパーソナルコンピュータ３を示していないと判定された場合には、以下のように処理を行う。すなわち、受信したユーザIDのユーザに対して登録されているパーソナルコンピュータ数が２以下であれば、受信したPC識別情報が示すパーソナルコンピュータ３を受信したユーザIDのユーザに対して追加登録した上で、パーソナルコンピュータ３に認証データを送信する（６１２）。
【００４４】
また、受信したユーザIDのユーザに対して登録されているパーソナルコンピュータ数が３に達していれば、パーソナルコンピュータ３を介してユーザに、現在登録されているパーソナルコンピュータ３のうちの一つの登録を解除し、現在使用しているパーソナルコンピュータ３を新たに登録するかを問い合わせる。そして、新たに登録しないことがユーザによって選択された場合には、認証データをパーソナルコンピュータ３に送信せずに、処理を終了する。この結果、現在リムーバブルＨＤＤが接続されているパーソナルコンピュータ３では、リムーバブルＨＤＤ４を利用することができないことになる。一方、現在登録されているパーソナルコンピュータ３のうちの一つの登録を解除して新たなパーソナルコンピュータ３を登録することがユーザによって選択された場合には、登録の解除が選択されたパーソナルコンピュータ３の受信したユーザIDのユーザに対する登録を解除して、受信したPC識別情報が示すパーソナルコンピュータ３を受信したユーザIDのユーザに対して追加登録した上で、パーソナルコンピュータ３に認証データを送信する。
【００４５】
この結果、特定のリムーバブルＨＤＤ４を接続して利用できるパーソナルコンピュータ３は、常に３台以下に限定される。
一方で、リムーバブルＨＤＤ４の正当なユーザは、３台以下の任意の自己のパーソナルコンピュータ３において、リムーバブルＨＤＤ４を利用することができるようになる。
以上、本発明の実施形態について説明した。
このように本実施形態によれば、リムーバブルＨＤＤ４をパーソナルコンピュータ３に接続して利用する際には、リムーバブルＨＤＤ４のユーザのユーザIDとパスワードが必要となる。したがって、リムーバブルＨＤＤ４に記録されたオーディオファイルの利用を、リムーバブルＨＤＤ４の正当なユーザにのみ制限することができる。また、リムーバブルＨＤＤ４を利用できるパーソナルコンピュータ３を一定数以下の登録されたパーソナルコンピュータ３のみに制限することができ、かつ、一度登録を解除したパーソルコンピュータは、これを再登録することを禁止するので、リムーバブルＨＤＤ４に記録されたオーディオファイルの不正な利用を抑制することができる。すなわち、リムーバブルＨＤＤ４のユーザが、他人に自己のユーザIDとパスワードを教示すると共にリムーバブルＨＤＤ４を貸し渡して、当該他人にリムーバブルＨＤＤ４に記録されたオーディオファイルを不正利用させるような行為に、リムーバブルＨＤＤ４を利用できる自己のパーソナルコンピュータ数の削減という不利益を伴わせることができるので、このような不正な行為を効果的に抑制することができるようになる。
【００４６】
ところで、以上の実施形態では、リムーバブルＨＤＤ４に対して、一度登録を解除したパーソルコンピュータは、そのリムーバブルＨＤＤ４に対する再登録を禁止するようにしたが、一度登録を解除したパーソルコンピュータであっても再登録が所定回数または再登録が所定頻度に達するまでは、その再登録を認めるようにしてもよい。
【００４７】
または、リムーバブルＨＤＤ４に対して３台のパーソナルコンピュータ３が登録されたならば、以降は、一切、そのリムーバブルＨＤＤ４に対する既登録のパーソナルコンピュータ３の登録の解除と他のパーソナルコンピュータ３の追加登録は行わずに、他のパーソナルコンピュータ３におけるリムーバブルＨＤＤ４の利用を禁止するようにしてもよい。または、リムーバブルＨＤＤ４に対して３台のパーソナルコンピュータ３が登録されたならば、そのリムーバブルＨＤＤ４に対する既登録のパーソナルコンピュータ３の登録の解除と他のパーソナルコンピュータ３の登録または再登録は、管理センタシステム１において、ユーザにとってより負担のある別途の手続きに応じて、これを行うようにしてもよい。すなわち、たとえば、ある頻度以上の、リムーバブルＨＤＤ４に対する既登録のパーソナルコンピュータ３の登録の解除と他のパーソナルコンピュータ３の追加登録は有料のサービスとしてもよい。これらのようにしても、リムーバブルＨＤＤ４のユーザが、他人に自己のユーザIDとパスワードを教示すると共にリムーバブルＨＤＤ４を貸し渡して、当該他人にリムーバブルＨＤＤ４のオーディオファイルを不正利用させるような行為に、リムーバブルＨＤＤ４のユーザの不利益を伴わせることができ、このような不正な行為を効果的に抑制することができるようになる。
【００４８】
また、以上では、リムーバブルＨＤＤ４のユーザが、当該リムーバブルＨＤＤ４を接続して利用できるパーソナルコンピュータ３の台数を限定したが、この限定は行わないようにしてもよい。この場合には、パーソナルコンピュータ３において、認証要求発行時の、ＰＣ識別情報の取得やリムーバブルＨＤＤ管理サーバ１７への送信を行わず、リムーバブルＨＤＤ管理サーバ１７のＰＣ認証処理において、認証要求と共に受信したユーザIDとパスワードとリムーバブルHDD番号の組み合わせがユーザ管理情報に登録されている場合には、無条件に認証データをパーソナルコンピュータ３に送信するようにすればよい。また、この場合には、ユーザ管理レコードにおける登録ＰＣ識別情報は不要となる。
【００４９】
このようにしても、リムーバブルＨＤＤ４の盗難による、リムーバブルＨＤＤ４に記録されたオーディオファイルの利用を抑止することができる。また、本実施形態のようにユーザIDとパスワードが有料のオーディオファイルのセンタシステムからのダウンロードサービスのユーザIDとパスワードとして共用されている場合には、リムーバブルＨＤＤ４のユーザが、他人に自己のユーザIDとパスワードを教示することを抑制することができるので、他人にユーザIDとパスワードを教示すると共にリムーバブルＨＤＤ４を貸し渡して、当該他人にリムーバブルＨＤＤ４のオーディオファイルを不正利用させることを抑制することができる。なお、このユーザIDとパスワードは、オーディオファイルのセンタシステムからのダウンロードサービス以外の任意のサービスのユーザIDとパスワードとして共用するようにしてもよい。
【００５０】
また、以上のリムーバブルＨＤＤ４は、ＨＤ４１に記録したオーディオファイルを再生する機能を備えたものであっても良い。
また、以上ではリムーバブルＨＤＤ４に、オーディオファイルを格納して、車載オーディオシステム５やパーソナルコンピュータ３で利用する場合について説明したが、本実施形態は、リムーバブルＨＤＤ４にオーディオ以外のコンテンツ、たとえばビデオやピクチャやゲームソフトを格納して、車載オーディオシステム５やパーソナルコンピュータ３で利用する場合についても同様に適用可能である。
【００５１】
また、以上の実施形態では、リムーバブルＨＤＤ４に代えて、ＨＤ４１以外の任意の記録メディアを記録に用いるリムーバブルな記録装置を用いるようにしてもよい。
【図面の簡単な説明】
【００５２】
【図１】本発明の実施形態に係るオーディオファイル利用システムの構成を示すブロック図である。
【図２】本発明の実施形態に係る管理センタシステム、パーソナルコンピュータ、リムーバブルＨＤＤ、車載オーディオシステムの構成を示すブロック図である。
【図３】本発明の実施形態に係る管理センタシステムが管理するユーザ管理情報を示す図である。
【図４】本発明の実施形態に係るパーソナルコンピュータが行うリムーバブルＨＤＤ活性化処理を示すフローチャートである。
【図５】本発明の実施形態に係る管理センタシステムが行うＰＣ認証処理を示すフローチャートである。
【図６】本発明の実施形態に係るパーソナルコンピュータの認証動作例を示すシーケンス図である。
【符号の説明】
【００５３】
１…管理センタシステム、２…ＷＡＮ、３…パーソナルコンピュータ、４…リムーバブルＨＤＤ、５…車載オーディオシステム、１１…オーディオファイル格納部、１２…オーディオファイル提供サーバ、１３…課金システム、１４…ユーザ管理データベース、１５…ユーザ情報登録処理部、１６…認証処理部、１７…リムーバブルＨＤＤ管理サーバ、３１…ＣＤドライブ、３２…ＨＤＤ、３３…ダウンロードクライアント、３４…リムーバブルＨＤＤ活性化処理部、３５…オーディオプレイヤ、３６…ＣＤリッピング処理部、３７…入出力インタフェース、３８…オペレーティングシステム、４１…ＨＤ、４２…ＨＤアクセス部、４３…ＨＤＤコントローラ、４４…認証制御部、５１…ＣＤ-ＤＡドライブ、５２…オーディオソース、５３…オーディオ再生処理部、５４…ＣＤリッピング処理部、５５…入出力インタフェース、５６…オペレーティングシステム。
【図１】
2005148971.tif 000003
【図２】
2005148971.tif 000004
【図３】
2005148971.tif 000005
【図４】
2005148971.tif 000006
【図５】
2005148971.tif 000007
【図６】
2005148971.tif 000008